(57)【要約】【課題】主たる投射像と、補助の画像とを切り換えて表示させることができるプロジェクタを提供すること。【解決手段】主制御装置９６が、投射光路Ｐ１側で表示を行わせる第１動作モードと、導光路Ｐ２側で表示を行わせる第２動作モードとを切り替えて画像処理回路９２や光変調装置５０を動作させるので、第１動作モードにおいてスクリーンＳＣ１上に主たる投射像を表示し、第２動作モードにおいてスクリーン部ＳＣ２上に補助の画像を表示することができる。つまり、単一の光変調装置５０によって、主投射光学系６０による主たる投射像と、導光光学系７０による補助の画像とを切り替えてユーザに提示できる。【選択図】図１
2008225151.tif 000002
【特許請求の範囲】
【請求項１】
照明用の光を射出する光源と、
前記光源からの光を入射させる画像形成領域を有するとともに、当該画像形成領域において画素ごとに設けたマイクロミラーの傾斜角度を、投射光路へ入射光を導く第１の状態と、導光路へ入射光を導く第２の状態とに切り替える光変調装置と、
前記投射光路に導かれた光を投射する主投射光学系と、
前記第１の状態を表示状態として前記投射光路側で表示を行わせる第１動作モードと、前記第２の状態を表示状態として前記導光路側で表示を行わせる第２動作モードとを切り替えて、前記光変調装置を動作させる制御部と、
を備えるプロジェクタ。
【請求項２】
前記制御部は、前記第２動作モードでの動作に際して、前記第１動作モードによる表示画像を反転させた反転画像に対応する画像信号に基づいて、前記光変調装置を動作させる、請求項１記載のプロジェクタ。
【請求項３】
前記光源と、前記光変調装置と、前記制御部とを一括して収納するケースをさらに備え、前記導光路に導かれた光を画像として前記ケースに設けたスクリーン部に投影する請求項１及び請求項２のいずれか一項記載のプロジェクタ。
【請求項４】
前記導光路に導かれた光を前記主投射光学系の投射方向とは異なる方向に投射する副投射光学系をさらに備える請求項１及び請求項２のいずれか一項記載のプロジェクタ。
【請求項５】
前記投射光路上に配置される第１のシャッタ装置と、前記導光路上に配置される第２のシャッタ装置とをさらに備える請求項１から請求項４までのいずれか一項記載のプロジェクタ。
【請求項６】
前記制御部は、前記光変調装置を動作させる画像信号に対して補正処理を行って、前記投射光路へ導かれて投射される画像と、前記導光路へ導かれて投影される画像との少なくとも一方の歪を補正する、請求項１から請求項５までのいずれか一項記載のプロジェクタ。
【発明の詳細な説明】
【技術分野】
【０００１】
本発明は、各画素に対応させて設けたマイクロミラーの傾斜角を調整することによって調光を行うタイプの光変調装置を用いて画像を投射するプロジェクタに関する。
【背景技術】
【０００２】
従来のプロジェクタとして、ＳＣＲホイールから時系列的に射出される各色の照明光をデジタル・マイクロミラー・デバイス（ＤＭＤ）に入射させ、このＤＭＤによって正面に反射された像光を投射レンズでスクリーン上に結像させるものが存在する（特許文献１参照）。
【０００３】
また、別のプロジェクタとして、光源からの照明光を特殊な形状のプリズムで２分割して２つのＤＭＤにともに入射させ、各ＤＭＤからの像光を上記プリズムで合成しつつ単一の投射レンズによってスクリーン上に結像させるものが存在する（特許文献２参照）。
【特許文献１】特開２００３−２３３１２２号公報
【特許文献２】特開２００１−１３４５４号公報
【発明の開示】
【発明が解決しようとする課題】
【０００４】
しかし、前者のプロジェクタでは、単一のＤＭＤによって投射像が１つ形成されるだけであるので、主たる投射像のほかに、これとは表示場所や表示サイズが異なる補助の画像を表示させたい場合、別個に追加の表示装置を設ける必要がある。
【０００５】
また、後者のプロジェクタも、単一の投射レンズによって２つの画像を並べて投射するものであることから、主たる投射像と、上述のような補助の画像とを切り替えてユーザ向けに表示させることができない。
【０００６】
そこで、本発明は、主たる投射像と、補助の画像とを切り換えて表示させることができるプロジェクタを提供することを目的とする。
【課題を解決するための手段】
【０００７】
上記課題を解決するため、本発明に係るプロジェクタは、（ａ）照明用の光を射出する光源と、（ｂ）光源からの光を入射させる画像形成領域を有するとともに、当該画像形成領域において画素ごとに設けたマイクロミラーの傾斜角度を、投射光路へ入射光を導く第１の状態と、導光路へ入射光を導く第２の状態とに切り替える光変調装置と、（ｃ）投射光路に導かれた光を投射する主投射光学系と、（ｄ）第１の状態を表示状態として投射光路側で表示を行わせる第１動作モードと、第２の状態を表示状態として導光路側で表示を行わせる第２動作モードとを切り替えて、光変調装置を動作させる制御部とを備える。
【０００８】
上記プロジェクタでは、制御部が、投射光路側で表示を行わせる第１動作モードと、導光路側で表示を行わせる第２動作モードとを切り替えて光変調装置を動作させるので、第１動作モードにおいて主たる投射像を表示し、第２動作モードにおいて補助の画像を表示することができる。つまり、単一の光変調装置によって、主たる投射像と補助の画像とを切り替えるなどしてユーザに提示できるプロジェクタ提供することができる。
【０００９】
本発明の具体的な態様又は観点によれば、上記プロジェクタにおいて、制御部が、第２動作モードでの動作に際して、第１動作モードによる表示画像を反転させた反転画像に対応する画像信号に基づいて、光変調装置を動作させる。この場合、マイクロミラーが第１の状態で表示がオンとなる投射光路と、マイクロミラーが第２の状態で表示がオンとなる導光路との出力反転を補償して、主たる投射像と補助の画像とを同様のものとすることができる。
【００１０】
本発明の別の態様によれば、前記光源と、前記光変調装置と、前記制御部とを一括して収納するケースをさらに備え、導光路に導かれた光を画像としてケースに設けたスクリーン部に投影する。この場合、補助の画像をケースのスクリーン部に表示させることができ、プロジェクタを操作する者の便宜を図ることができる。
【００１１】
本発明のさらに別の態様によれば、導光路に導かれた光を主投射光学系の投射方向とは異なる方向に投射する副投射光学系をさらに備える。この場合、補助の画像を主たる投射像とは異なる方向に投射することができ、複数の方位に配置されたスクリーンに投射像を切り換えて表示させることができる。
【００１２】
本発明のさらに別の態様によれば、投射光路上に配置される第１のシャッタ装置と、導光路上に配置される第２のシャッタ装置とをさらに備える。この場合、投射光路を利用して主たる投射像を表示している場合には、導光路を第２のシャッタ装置によって遮断するとともに、導光路を利用して補助の画像を表示している場合には、投射光路を第１のシャッタ装置によって遮断して、不要な表示が行われることを防止できる。
【００１３】
本発明のさらに別の態様によれば、制御部が、光変調装置を動作させる画像信号に対して補正処理を行って、投射光路へ導かれて投射される画像と、導光路へ導かれて投影される画像との少なくとも一方の歪を補正する。この場合、主たる投射像や補助の画像を、歪のない或いは歪を抑えた画像とすることができる。
【発明を実施するための最良の形態】
【００１４】
〔第１実施形態〕
図１は、本発明の第１実施形態に係るプロジェクタの外観を概念的に説明する斜視図であり、図２は、図１のプロジェクタの内部を説明する図である。
【００１５】
このプロジェクタ１０は、外部のスクリーンＳＣ１に拡大された投射像を投影するとともに、ケース１１に設けたスクリーン部ＳＣ２に小さな補助画像を投影するための光学機器であり、ケース１１中に、照明装置２０と、光変調装置５０と、主投射光学系６０と、導光光学系７０とを収納している。
【００１６】
ケース１１の正面の板面１１ｆには、開口１１ａが形成されており、この開口１１ａは、第１シャッタ装置１２によって開閉可能になっている。第１シャッタ装置１２は、開口１１ａを覆うためのシャッタ板１２ａと、シャッタ板１２ａのスライド移動を案内するガイド１２ｂと、シャッタ板１２ａをユーザが操作するためのノブ１２ｃとを有する。ユーザは、ノブ１２ｃを利用して、シャッタ板１２ａを点線で示す閉位置と、一点鎖線で示す開位置とに移動させることができる。第１シャッタ装置１２のシャッタ板１２ａが点線の閉状態となっている場合、主投射光学系６０がケース１１内に収納されて、主投射光学系６０からの像光Ｌ１の射出すなわち投射像の表示又は投影ができなくなる。一方、シャッタ板１２ａが一点鎖線の開状態となっている場合、主投射光学系６０がケース１１外に露出して、主投射光学系６０からの像光Ｌ１の射出すなわち投射像の表示又は投影が可能になる。なお、第１シャッタ装置１２の動作は、手動に限らず電動とすることができ、例えば主投射光学系６０を利用して表示を行わせる第１動作モードでシャッタ板１２ａを自動的に開位置に移動させ、それ以外の場合に自動的にシャッタ板１２ａを閉位置に移動させることができる。
【００１７】
ケース１１の上面の板面１１ｕには、スクリーン部ＳＣ２が形成されており、このスクリーン部ＳＣ２は、第２シャッタ装置１３によって背後から遮光可能になっている。第２シャッタ装置１３は、スクリーン部ＳＣ２への像光Ｌ２の入射を阻止するためのシャッタ板１３ａと、シャッタ板１３ａのスライド移動を案内するガイド１３ｂと、シャッタ板１３ａをユーザが操作するためのノブ１３ｃとを有する。ユーザは、ノブ１３ｃを利用して、シャッタ板１３ａを閉位置と開位置とに移動させることができる。第２シャッタ装置１３のシャッタ板１３ａが閉状態となっている場合、スクリーン部ＳＣ２への像光Ｌ２の入射すなわち投影像の表示ができなくなる。一方、シャッタ板１３ａが開状態となっている場合、スクリーン部ＳＣ２への像光Ｌ２の入射すなわち投影像の表示が可能になる。なお、第２シャッタ装置１３の動作は、手動に限らず電動とすることができ、例えばスクリーン部ＳＣ２に表示を行わせる第２動作モードでシャッタ板１３ａを自動的に開位置に移動させ、それ以外の場合に自動的にシャッタ板１３ａを閉位置に移動させることができる。
【００１８】
ここで、スクリーン部ＳＣ２は、プロジェクタ１０を操作する者が手元で確認できる画像を表示するための部分であり、例えば実際に投射されるはずの映像を表示させることで、表示内容をプレビュー的に確認することができる。また、プロジェクタ１０の動作状態の設定等を確認、変更するためのディスプレイとして活用することもできる。
【００１９】
照明装置２０は、均一な照明光Ｌ０を光変調装置５０に入射させ、光変調装置５０は、照明光Ｌ０を変調した像光Ｌ１を投射光路Ｐ１に導くとともに、同様に変調した像光Ｌ２を投射光路Ｐ２に導く。主投射光学系６０は、光変調装置５０で反射されて投射光路Ｐ１に導かれた像光Ｌ１を不図示のスクリーン上に拡大投射し、導光光学系７０は、光変調装置５０で反射されて導光路Ｐ２に導かれた像光Ｌ２をスクリーン部ＳＣ２に投射する。なお、導光光学系７０は、画像転写用の投影レンズ７１と、光路折曲用のミラー７２とを備えるが、画像のボケを許容するなら、投影レンズ７１については省略することもできる。
【００２０】
図３は、図１及び図２に示すプロジェクタ１０の光学系を示す模式図である。プロジェクタ１０のうち、照明装置２０は、ランプユニット２１と、均一化光学系３１とを含む。ここで、ランプユニット２１は、ランプ本体２３から周囲に放射された光束を集めて射出し、均一化光学系３１を介して光変調装置５０を照明するための光源であり、発光管であるランプ本体２３と、楕円リフレクタである主反射鏡２４と、球面状リフレクタである副反射鏡２５とを備えている。ランプ本体２３から放射された光束は、主反射鏡２４を介して或いは副反射鏡２５及び主反射鏡２４を介して、装置前方側に収束される収束光として反射・射出され、均一化光学系３１に入射する。
【００２１】
均一化光学系３１は、光源ランプユニット２１から射出された光束を複数の部分光束に分割して重畳させるとともに、分割・重畳後の光束を時系列で赤色（Ｒ）光、緑色（Ｇ）光、及び青色（Ｂ）光に分離し、これらを対象とする照明領域に順次入射させる役割を有する。このため、均一化光学系３１は、ロッドインテグレータ３３、カラーホイール３７、及び結像レンズ３８を備える。
【００２２】
ロッドインテグレータ３３は、システム光軸ＯＡに沿って延びる四角柱状の透明部材からなる光学系であり、システム光軸ＯＡに垂直な矩形断面を有し、入射端３３ａに反射ミラー３５を設けた構造となっている。カラーホイール３７は、図示を省略するモータによって回転可能になっており、ロッドインテグレータ３３の射出端３３ｂに形成された射出ポートＰＯに対向配置されるフィルタ面３７ａには、Ｒ、Ｇ、及びＢの３色の線状フィルタがスパイラル状に形成されている。結像レンズ３８は、ロッドインテグレータ３３の射出ポートＯＰの像を、光路折曲ミラー３９を介して光変調装置５０のＤＭＤ素子部５１に設けた画像形成領域５１ａ（画像情報が形成される被照明領域）に投影する。
【００２３】
光源ランプユニット２１から射出される光源光は、反射ミラー３５の中央に設けた光入射孔３７ａを介してロッドインテグレータ３３内部に導入される。ロッドインテグレータ３３を通過して射出ポートＯＰから射出された照明光は、カラーホイール３７に入射する。カラーホイール３７のフィルタ面３７ａは、ロッドインテグレータ３３から射出された照明光をＲＧＢの３色に時系列的に色分離して射出する。この際、フィルタ面３７ａに入射する透過光以外の色光は、フィルタ面３７ａで反射されてロッドインテグレータ３３内部に戻される。ロッドインテグレータ３３に戻された光は、ロッドインテグレータ３３中で反射されながら他端に達して反射ミラー３５で反射されてロッドインテグレータ３３中を逆行し、再利用光としてフィルタ面３７ａを再度照明する。カラーホイール３７の後段に設けた結像レンズ３８及び光路折曲ミラー３９は、ロッドインテグレータ３３から射出されカラーホイール３７を経た透過光を、照明光Ｌ０として光変調装置５０のＤＭＤ素子部５１上に入射させ、画像形成領域５１ａの均一な照明を達成する。
【００２４】
図４は、光変調装置５０の具体的な構造を説明する拡大図である。光変調装置５０は、ＤＭＤ素子部５１として、基板５３上に、駆動回路部５４、駆動機構部５５、及びマイクロミラー５６を備える。ＤＭＤ素子部５１は、駆動回路部５４上に画素数分の駆動機構部５５及びマイクロミラー５６を備えている。ＤＭＤ素子部５１の正面方向に延びる中心軸は、主投射光学系６０（図３参照）の方向に延びる第１投射軸ＰＡ１となっている。このＤＭＤ素子部５１において、第１投射軸ＰＡ１に対して適当な入射角となっている入射光軸ＯＡＩを中心として入射した照明光Ｌ０は、変調時において、オン状態のマイクロミラー５６（実線で示す第１の状態）で反射されて正面に延びる投射光路Ｐ１の第１投射軸ＰＡ１の方向に射出され、オフ状態のマイクロミラー５６（点線で示す第２の状態）で反射されて傾いた導光路Ｐ２の第２投射軸ＰＡ２方向に射出される。光変調装置５０の各マイクロミラー５６の第１の状態と第２の状態とは、光変調装置５０に与えられた画像情報に基づいて適宜切り替えられる。すなわち、光変調装置５０は、第１動作モードにおいて、第１の状態にあるオン状態のマイクロミラー５６が表示状態であるものとして投射光路Ｐ１側で表示を行わせる。また、光変調装置５０は、第２動作モードにおいて、第２の状態にあるオフ状態のマイクロミラー５６が表示状態であるものとして導光路Ｐ２側で表示を行わせる。つまり、第２動作モードでは、第１動作モードに対してオン・オフが入れ替わる。なお、第１動作モードにおいて、オン状態のマイクロミラー５６は、＋１２°の傾斜状態で画像形成領域５１ａの面に対して２４°傾いた状態となっており、オフ状態のマイクロミラー５６は、−１２°の傾斜状態で画像形成領域５１ａの面に対して０°傾いた状態となっている。
【００２５】
図１に戻って、光変調装置５０から第１投射軸ＰＡ１に沿った正面の投射光路Ｐ１の方向に射出される像光Ｌ１は、主投射光学系６０によってプロジェクタ１０の前方に配置されたスクリーンＳＣ１上にカラー画像として投射される。また、光変調装置５０から第２投射軸ＰＡ２に沿った斜めの導光路Ｐ２の方向に射出される像光Ｌ２は、導光光学系７０によってケース１１に設けたスクリーン部ＳＣ２上にカラー画像として投射される。なお、導光光学系７０において、投影レンズ７１は、光変調装置５０のＤＭＤ素子部５１によって形成された画像をスクリーン部ＳＣ２に転写する役割を有し、ミラー７２は、導光路Ｐ２を斜め方向からプロジェクタ１０のケース１１上面に向ける役割を有する。
【００２６】
図５は、本実施形態のプロジェクタ１０を動作させるための制御系の回路構成を概念的に説明するブロック図である。図１等に示すプロジェクタ１０は、制御系として、ＤＭＤ駆動回路９３と、照明装置駆動回路９４と、画像処理回路９５と、主制御装置９６とを備える。
【００２７】
ここで、ＤＭＤ駆動回路９３と照明装置駆動回路９４とは、主制御装置９６の制御下で同期して動作しており、照明装置２０と光変調装置５０とを同期をとって動作させることで、所望のカラー像光を形成することができる。
【００２８】
画像処理回路９５は、主制御装置９６の制御下で、ＤＭＤ駆動回路９３に供給すべき画像信号に対して適当な画像処理を施す。これにより、光変調装置５０のＤＭＤ素子部５１によって形成すべき像光を、使用環境やユーザの嗜好等の使用状況に応じて所望の状態に調整することができる。具体的には、画像処理回路９５において、外部入力信号に対して、色補正、台形補正を含む歪補正、回転角度補正等が施される。これにより、主投射光学系６０によってスクリーンＳＣ１上に高品位の画像を投射することができる。
【００２９】
また、画像処理回路９５において、必要な場合には、外部入力信号に対して、この外部入力信号に相当する画像を各色の強度に関して反転した反転画像に対応する反転画像信号を生成する反転処理が行われる。これは、導光光学系７０によってスクリーン部ＳＣ２上に画像を投射する場合、画像がポジからネガに入れ替わることを考慮したものである。つまり、ＤＭＤ駆動回路９３は、主投射光学系６０によってスクリーンＳＣ１上に画像を投射する場合、すなわち第１動作モードを基本として動作するものであり、オン状態のマイクロミラー５６が表示状態であるとして、主投射光学系６０が設置された投射光路Ｐ１に像光Ｌ２を射出する。よって、導光光学系７０によってスクリーン部ＳＣ２上に画像を投射する場合、すなわち第２動作モードで動作させる場合、マイクロミラー５６のオン状態とオフ状態とを入れ替える必要がある。つまり、外部入力信号をポジからネガに変換する必要があり、画像処理回路９５において、ネガに相当する反転画像信号を生成する反転処理が行われる。ただし、外部入力信号が、ビデオ信号ではなく、例えばコンピュータ等からのものである場合、予めネガに変換された信号を準備することができるので、画像処理回路９５で反転処理を行う必要はない。具体的には、画像処理回路９５が、ビデオ信号用の入力端子とコンピュータ信号用の入力端子とを有する場合、ビデオ信号用の入力端子からの信号に対しては反転処理を施し、コンピュータ信号用の入力端子からの信号に対しては反転処理を施さないといった構成とすることができる。
【００３０】
なお、導光光学系７０を利用した第２動作モードでの画像投射は、主投射光学系６０を利用した第１動作モードでの画像投射と比較して、光路折曲用のミラー７２を利用していることや、ＤＭＤ素子部５１の表面から傾いた方向に射出される像光Ｌ２を結像すること、ＤＭＤ素子部５１の画像が直交する面にあるスクリーン部ＳＣ２上に投射されること等の点で異なっている。このため、画像処理回路９５では、上記のような反転処理に加え、台形補正（キーストン補正）等を含む歪補正、回転角度補正、鏡像処理等が行われ、スクリーン部ＳＣ２上に適正な成立像を投射できるようにしている。
【００３１】
主制御装置９６は、プロジェクタ１０の動作全体を統括的に制御しており、例えばＤＭＤ駆動回路９３及び照明装置駆動回路９４を制御することにより、光変調装置５０から外部入力信号に対応する変調光を射出させることができる。この際、画像処理回路９５での画像処理によって、第１動作モードの場合、主投射光学系６０を介してスクリーンＳＣ１上に外部入力信号に対応する投射像を形成することができ、第２動作モードの場合、導光光学系７０を介してスクリーン部ＳＣ２上に外部入力信号に対応する画像を表示することができる。
【００３２】
〔第２実施形態〕
以下、本発明の第２実施形態に係るプロジェクタについて説明する。なお、第２実施形態のプロジェクタは、第１実施形態のプロジェクタを一部変更したものであり、特に説明しない部分については第１実施形態と同様であるものとする。
【００３３】
図６は、本実施形態に係るプロジェクタの構成を説明する模式図である。このプロジェクタ１１０の場合、図１等に示す導光光学系７０に代えて、副投射光学系１７０を備える。副投射光学系１７０は、ケース１１の側面の板面１１ｓに埋め込まれた投射レンズ１７１と、光変調装置５０から導光路Ｐ２側に導かれた変調光を投射レンズ１７１に入射させる光路折曲用のミラー１７２とを備える。ケース１１の側面の板面１１ｓには、スクリーン部ＳＣ２に代えて開口１１ｂが形成されており、この開口１１ｂは、第２シャッタ装置１１３によって開閉可能になっている。第２シャッタ装置１１３は、第１実施形態で説明した第１シャッタ装置１２と同様の構造を有し、開口１１ｂを覆うためのシャッタ板１１３ａのほかに、図示を省略するが、シャッタ板１１３ａのスライド移動を案内するガイド、シャッタ板１１３ａをユーザが操作するためのノブ等を有する。
【００３４】
以上で説明した第２実施形態のプロジェクタ１１０では、光変調装置５０から導光路Ｐ２側に導かれた像光Ｌ２を、副投射光学系１７０によって主投射光学系６０の投射方向である正面方向とは異なる横方向に投射することができる。これにより、複数の方位に配置されたスクリーンに投射像を切り換えて表示させることができる。具体的には、プロジェクタ１１０が天吊り設置されている場合等において、正面の壁に設けたスクリーンのみならず、側面の壁に設けたスクリーンにも投射像を形成することができる。
【００３５】
なお、この発明は、上記の実施形態に限られるものではなく、その要旨を逸脱しない範囲において種々の態様において実施することが可能であり、例えば次のような変形も可能である。
【００３６】
すなわち、上記第１実施形態において、導光光学系７０の投影レンズ７１については、
スクリーン部ＳＣ２に投射する画像の歪み等を補正するレンズとすることもできる。
【００３７】
また、光源ランプユニット２１や均一化光学系３１も、上記実施形態に限らず、多様なものを使用できる。例えば光源ランプユニット２１においてＬＥＤ等の光源を使用することができ、均一化光学系３１をロッドインテグレータ３３等を有しないものに置き換えることができる。
【図面の簡単な説明】
【００３８】
【図１】本発明の第１実施形態に係るプロジェクタの外観を説明する斜視図である。
【図２】図１のプロジェクタの内部構造を説明する図である。
【図３】図１のプロジェクタの光学系を説明する図である。
【図４】光変調装置の具体的な構造を説明する拡大図である。
【図５】プロジェクタを動作させるための制御系を概念的に説明するブロック図である。
【図６】第２実施形態に係るプロジェクタの内部構造を説明する図である。
【符号の説明】
【００３９】
１１…ケース、  １１ａ…開口、  １２，１３…シャッタ装置、  １２ａ，１３ａ…シャッタ板、  ２１…光源ランプユニット、  ３１…均一化光学系、  ３３…ロッドインテグレータ、  ３７…カラーホイール、  ５０…光変調装置、  ５１…ＤＭＤ素子部、  ７０…導光光学系、  ７２…ミラー、  ９５…画像処理回路、  ９３…ＤＭＤ駆動回路、  ９５…主制御回路、  Ｌ０…照明光、  Ｌ１，Ｌ２…像光、  Ｐ２…投射光路、  Ｐ２…導光路、  ＳＣ１…スクリーン、  ＳＣ２…スクリーン部
【図１】
2008225151.tif 000003
【図２】
2008225151.tif 000004
【図３】
2008225151.tif 000005
【図４】
2008225151.tif 000006
【図５】
2008225151.tif 000007
【図６】
2008225151.tif 000008